(57)【特許請求の範囲】
【請求項１】
寝具をカバーして防水する防水シーツであって、
長方形状を有し、該長方形の左右２つの第１辺部のそれぞれに帯状の固定帯が４以上固定された第１敷布と、
長方形状を有し、該長方形の左右２つの第２辺部のそれぞれに、該第２辺部に対応する前記第１敷布の前記第１辺部に固定された前記固定帯を通す複数の孔部が設けられた第２敷布と、
を備え、
前記固定帯は、前記２つの第１辺部のそれぞれの対応する位置に３０ｃｍ以下の間隔で固定され、
前記孔部は、前記２つの第２辺部のそれぞれの対応する位置に設けられ、
前記第１敷布の位置と前記第２敷布の位置とを一致させたとき、前記固定帯の位置がそれぞれ対応する前記孔部の位置に一致し、
前記第１及び第２敷布の少なくとも一方が防水性である防水シーツ。
【請求項２】
前記固定帯は、先端を胴部に留める留め具を有することを特徴とする、請求項１に記載の防水シーツ。
【請求項３】
前記留め具は、前記固定帯の先端近傍に設けられた留部と前記固定帯の胴部の一面に設けられた受部とから構成される面ファスナであることを特徴とする、請求項２に記載の防水シーツ。
【発明の詳細な説明】
【技術分野】
【０００１】
本発明は、寝具をカバーして防水する防水シーツに関する。
【背景技術】
【０００２】
医療施設における患者の看護、介護施設における高齢者の介護、保育施設における乳幼児の保育等では、尿失禁等による寝具（敷布団、マットレス等）の浸潤を防止するために寝具に防水シーツをカバーするのが一般的である。ここで、患者等の腰部が中央に位置するように、防水シーツを寝具上に配置する。しかし、患者等が寝返りをうつなど寝具上で動くことにより、防水シーツにしわがよったり、防水シーツが寝具からはずれたりすることがある。
【０００３】
防水シーツが寝具からはずれることを防止するため、例えば特許文献１には、防水シーツを寝具に固定するための固定用ベルトが開示されている。ここで、固定用ベルトは帯状を有し、その一端を寝具の表面をカバーする防水シーツの両辺の一方に留め、他端を寝具の裏面側から両辺の他方に留めることで、防水シーツが寝具に固定される。また、特許文献２には、寝具の表面全体を覆う防水シーツが開示されている。防水シーツは、その上下左右の四縁を寝具の裏面側に折り込み、四隅の重畳部分を縫い付けることで、寝具を包み込む袋体に構成されている。特許文献１、２によれば、防水シーツが寝具からはずれることを防止できる。しかし、防水シーツにしわがよることを完全に防止するものではない。はずれることを防止するために防水シーツの局所を固定するので、かかる固定によってしわを緩和できると考えられるが、しわがよらないものではない。
防水シーツを利用するものは身体が不自由であることも多く、防水シーツ表面の小さな（例えば幅１ｃｍ長さ３ｃｍの）しわであっても、床ずれの原因となってしまう。
【先行技術文献】
【特許文献】
【０００４】
【特許文献１】特開２００２−３６０３８１号公報
【特許文献２】実用新案登録第３０３５２３４号公報
【発明の概要】
【発明が解決しようとする課題】
【０００５】
本発明は、簡便に取付け可能であり、しわがよることのない、寝具をカバーして防水する防水シーツを提供することを課題とする。
【課題を解決するための手段】
【０００６】
本発明は、寝具をカバーして防水する防水シーツであって、長方形状を有し、その長方形の左右２つの第１辺部のそれぞれに帯状の固定帯が４以上固定された第１敷布と、長方形状を有し、その長方形の左右２つの第２辺部のそれぞれに、その第２辺部に対応する第１敷布の第１辺部に固定された固定帯を通す複数の孔部が設けられた第２敷布と、を備え、第１及び第２敷布の少なくとも一方が防水性である防水シーツである。
【０００７】
これによれば、寝具の表面を第１及び第２敷布の一方を用いて覆い、裏面を他方を用いて覆い、第１敷布に固定された固定帯を第２敷布に設けられた孔部に通すことで、寝具を挟んで第１敷布を第２敷布に固定することができる。それにより、簡便に、防水シーツを寝具に取付けることができる。
【０００８】
本発明の防水シーツは、固定帯は、先端を胴部に留める留め具を有することを特徴とする。
【０００９】
これによれば、第１敷布に固定された固定帯を第２敷布に設けられた孔部に通し、その先端を留め具を用いて胴部の任意の位置に留めることで、寝具の厚みに応じて固定帯の長さを調整して、寝具を挟んで第１敷布を第２敷布に固定することができる。すなわち、防水シーツを、固定帯の長さと同程度から約２分の１の厚みの寝具に取付けることができる。
【００１０】
本発明の防水シーツは、留め具は、固定帯の先端近傍に設けられた留部と固定帯の胴部の一面に設けられた受部とから構成される面ファスナであることを特徴とする。
【００１１】
これによれば、固定帯の先端を胴部の一面の任意の位置に簡便に留めることができる。
【００１２】
本発明の防水シーツは、固定帯は、２つの第１辺部のそれぞれの対応する位置に固定されていることを特徴とする。
【００１３】
ここで「対応する位置」とは、２つの位置を結ぶ直線が第１辺部と直交する位置を言う。
これによれば、横方向について、第１敷布を寝具を挟んで第２敷布に固定して、防水シーツを寝具に強く取付け、２つの固定具によって防水シーツを引張することができる。それにより、横方向（第１辺部と直交する方向）にしわがよることなく、防水シーツを使用することが可能となる。
【００１４】
本発明の防水シーツは、固定帯は、第１辺部に３０ｃｍ以下の間隔で固定されていることを特徴とする。
【００１５】
これによれば、防水シーツが横方向に引張される間隔が狭い（３０ｃｍ以下である）。それにより、縦方向（第１辺部と平行な方向）にもしわがよることなく、防水シーツを使用することが可能となる。
【発明の効果】
【００１６】
本発明の防水シーツによれば、防水シーツを寝具に簡便に取付けることが可能となる。
【図面の簡単な説明】
【００１７】
【図１】図１は、防水シーツを構成する第１及び第２敷布の構成を示す図である。
【図２】図２は、防水シーツを寝具に取付ける方法を説明するための図である。
【図３】図３は、防水シーツを寝具に取付ける方法を説明するための図である。
【発明を実施するための形態】
【００１８】
本発明の一実施形態について説明する。
【００１９】
本実施形態では、一例として、防水シーツ１０を用いてベッド（不図示）のボトムの上に配置されるベッド用マットレス（以下、単に、寝具と呼ぶ）をカバーするものとする。寝具の種類は、ベッド用マットレスに限らず、床面上に配置され、その上に布団が配置される布団用マットレスであってもよい。また、マットレスの種類は特に問わず、スプリングを内設したもの又はウレタン若しくはパームの繊維を中材として使用したものであってもよい。寝具の大きさは、一例としてシングルサイズ、すなわち長さ１９５ｃｍ、幅９７ｃｍ、及び高さ１０ｃｍとする。
【００２０】
図１に、本実施形態に係る防水シーツ１０の構成を示す。防水シーツ１０は、第１及び第２敷布１，２から構成される。
【００２１】
第１敷布１は、図１（Ａ）に示すように、本体１ａと８つの固定帯１ｂとから構成される。
【００２２】
本体１ａは、寝具の裏面をカバーする敷布であり、縦及び横方向をそれぞれ長手及び短手とする矩形状を有する。敷布として、例えば綿繊維、合成繊維等を加工してなる布を採用することができる。本体１ａの長手の長さは寝具の縦方向の長さより短い１００ｃｍ、短手の長さは寝具の横方向の長さ（幅）と同じ９７ｃｍとする。
【００２３】
固定帯１ｂは、第１敷布１を寝具を挟んで第２敷布２に固定するための帯辺であり、本体１ａの左右２つの辺部のそれぞれに４つ固定されている。固定帯１ｂは、横方向を長手とする矩形状の胴部と三角形状に先細に形成された先端とを有し、全体として横長の五角形状に成形されている。その長さは一例として３０ｃｍ、幅は一例として１０ｃｍとする。固定帯１ｂは、本体１ａと同じ素材から構成することができ、その基端が本体１ａの辺部に縫い付けることで固定されている。なお、固定帯１ｂを本体１ａと一体的に構成してもよい。また、固定帯１ｂの長さを、防水シーツ１０を取り付ける寝具の厚みに応じて定めてもよい。
【００２４】
固定帯１ｂの先端の裏面にはフック状に起毛された第１ファスナ１ｂ１が、胴部の裏面にはループ状に起毛された第２ファスナ１ｂ２が、それぞれ一面に設けられている。第１及び第２ファスナ１ｂ１，１ｂ２より、先端を裏面側に折り返して胴部の任意の位置に簡便に着脱可能に留めることのできる面ファスナを構成する。
【００２５】
固定帯１ｂは、第１敷布１（本体１ａ）の左右２つの辺部のそれぞれの対応する位置に固定されている。（これに合わせて、孔部２ｂ０も、第２敷布２（本体２ａ）の左右２つの辺部のそれぞれの対応する位置に設けられている。）それにより、後述するように固定帯１ｂを用いて第１敷布１を寝具を挟んで第２敷布２に強く固定することで、本体１ａ（及び第２敷布２の本体２ａ）に横方向のしわがよることなく、防水シーツ１０を寝具に取付けて使用することが可能となる。
【００２６】
また、固定帯１ｂは、第１敷布１（本体１ａ）の左右２つの辺部に３０ｃｍ以下の間隔Ｗで固定されている。それにより、縦方向について第１敷布１を寝具を挟んで第２敷布２に強く固定することで、本体１ａ（及び第２敷布２の本体２ａ）に縦方向のしわがよることなく、防水シーツ１０を寝具に取付けて使用することが可能となる。
【００２７】
第２敷布２は、図１（Ｂ）に示すように、本体２ａと２つの縁帯２ｂとから構成される。
【００２８】
本体２ａは、寝具の表面をカバーする防水性のシーツであり、縦及び横方向をそれぞれ長手及び短手とする矩形状を有する。シーツとして、ポリウレタン等の防水性の合成樹脂を加工してなるシーツ、或いは防水性又は撥水性を有する合成繊維を加工してなるシーツを採用することができる。また、これらのシーツを裏地として、綿繊維を加工してなる布を表地として構成されるシーツを採用することもできる。
【００２９】
本体２ａの大きさは、本体１ａと同様とする。すなわち、長手の長さは寝具の縦方向の長さより短い１００ｃｍ、短手の長さは寝具の横方向の長さ（幅）と同じ９７ｃｍとする。ただし、この大きさは一例であり、患者等の腰部が位置する寝具上の領域を十分にカバーできれば、長手の長さを寝具の長さに等しく、短手の長さを寝具の幅より短い又は長くしてもよい。
【００３０】
２つの縁帯２ｂは、第１敷布１の固定帯１ｂを通すことで、第１敷布１を寝具を挟んで第２敷布２に固定するための孔部２ｂ０を形成する帯状部材であり、本体２ａの左右２つの辺部のそれぞれに平行に取り付けられている。縁帯２ｂは、縦方向を長手とし、一例として、本体２ａの長さに等しい長さ１００ｃｍ、幅５ｃｍとする。縁帯２ｂは、本体２ａと同じ素材から構成することができる。
【００３１】
縁帯２ｂは、第１敷布１に固定された固定帯１ｂの固定位置に対応する位置を除いて、本体２ａの辺部に縫い付けることで固定されている。それにより、本体２ａと縁帯２ｂとの間に固定帯１ｂが通る孔部２ｂ０が、第２敷布２（本体２ａ）の左右２つの辺部のそれぞれに固定帯１ｂと同じ数（ここでは４つ）形成される。ただし、孔部２ｂ０の幅ｗは、固定帯１ｂの幅より大きく、一例として１２ｃｍとする。
【００３２】
孔部２ｂ０は、固定帯１ｂと同様に、第２敷布２（本体２ａ）の左右２つの辺部のそれぞれの対応する位置に設けられている。それにより、後述するように固定帯１ｂを用いて第１敷布１を寝具を挟んで第２敷布２に強く固定することで、本体２ａに横方向のしわがよることなく、防水シーツ１０を寝具に取付けて使用することが可能となる。
【００３３】
また、孔部２ｂ０は、固定帯１ｂと同様に、第２敷布２（本体２ａ）の左右２つの辺部に３０ｃｍ以下の間隔Ｗで設けられている。それにより、縦方向について第１敷布１を寝具を挟んで第２敷布２に強く固定することで、本体２ａに縦方向のしわがよることなく、防水シーツ１０を寝具に取付けて使用することが可能となる。
【００３４】
防水シーツ１０（第１及び第２敷布１，２）を寝具２０に取付ける方法について説明する。
【００３５】
まず、図２（Ａ）に示すように、ベッド（不図示）上に第１敷布１（本体１ａ）を、すべての固定帯１ｂを拡げて、敷く。ここで、患者等の腰部が中央に位置するように、第１敷布１（本体１ａ）を配置する。その上で、第１敷布１（本体１ａ）の上に重ねて寝具２０を配置する。なお、図２（Ａ）及びその他の図において、第１及び第２敷布１，２の配置等を明確に示すために、寝具２０を点線を用いて示している。
【００３６】
次に、図２（Ｂ）に示すように、寝具２０上に第２敷布２（本体２ａ）を拡げる。ここで、患者等の腰部が中央に位置するように、第２敷布２（本体２ａ）を配置する。それにより、第２敷布２の位置が第１敷布１の位置に一致し、第１敷布１の固定帯１ｂの位置がそれぞれ対応する第２敷布２の孔部２ｂ０の位置に一致することとなる。その上で、図中矢印を用いて示すように、第１敷布１の固定帯１ｂを対応する第２敷布２の孔部２ｂ０に通す。
【００３７】
次に、図３（Ａ）に示すように、孔部２ｂ０に通した固定帯１ｂを強く引き、縁帯２ｂの上側から折り返し、図３（Ｂ）に示すように、先端の裏面（図中の上面）に設けられた第１ファスナ１ｂ１（図３（Ａ）では不図示）を胴部の裏面（図中の側面）に設けられた第２ファスナ１ｂ２（図３（Ａ）では不図示）に留める。それにより、第１敷布１が寝具２０を挟んで第２敷布２に固定され、防水シーツ１０が寝具に取付けられる。
【００３８】
防水シーツ１０を寝具２０から取り外すには、固定帯１ｂの第１ファスナ１ｂ１を第２ファスナ１ｂ２から外し、すべての固定帯１ｂを孔部２ｂ０から抜いて、第１敷布１から第２敷布２を外すことで、取り外すことができる。
【００３９】
以上詳細に説明したように、本実施形態の防水シーツ１０は、長方形状を有し、その長方形の左右２つの辺部のそれぞれに帯状の固定帯１ｂが４以上固定された第１敷布１と、長方形状を有し、その長方形の左右２つの辺部のそれぞれに、その辺部に対応する第１敷布１の辺部に固定された固定帯１ｂを通す複数の孔部２ｂ０が設けられた防水性の第２敷布２と、から構成されている。それにより、寝具の表面を第２敷布２を用いて覆い、裏面を第１敷布１を用いて覆い、第１敷布１に固定された固定帯１ｂを第２敷布２に設けられた孔部２ｂ０に通すことで、寝具を挟んで第１敷布１を第２敷布２に固定することができる。それにより、簡便に、防水シーツ１０を寝具に取付けることができる。
【００４０】
また、本実施形態の防水シーツ１０では、固定帯１ｂの先端を胴部に留める留め具として面ファスナを採用した。それにより、先端を胴部の任意の位置に留めることができるため、寝具２０の厚みに応じて固定帯１ｂの長さを調整して、寝具２０を挟んで第１敷布１を第２敷布２に固定することができる。すなわち、防水シーツ１０を、固定帯１ｂの長さと同程度から約２分の１の厚みの寝具２０に取付けることができる。
【００４１】
なお、本実施形態の防水シーツ１０では、防水シーツ１０を用いてマットレスをカバーすることとしたが、同様に、マットレス以外の寝具、例えば敷布団をカバーすることとしてもよい。
【００４２】
また、本実施形態の防水シーツ１０では、第２敷布２のみが防水性としたが、第１敷布１のみを防水性として、これを用いて寝具の表側を（第２敷布２を用いて寝具の裏側を）カバーすることとしてもよい。また、第１及び第２敷布１，２の両方を防水性としてもよい。
【００４３】
また、本実施形態の防水シーツ１０では、固定帯１ｂの先端を胴部に留める留め具として面ファスナ（第１及び第２ファスナ１ｂ１，１ｂ２）を採用したが、これに限らず、例えば、先端にフック又はボタンと、胴部にそのフックが係合する又はそのボタンが嵌る孔部と、からなる留め具を採用することもできる。
【００４４】
また、本実施形態の防水シーツ１０では、縁帯２ｂを第２敷布２（本体２ａ）の辺部に固定することで、第１敷布１の固定帯１ｂを通す孔部２ｂ０を形成することとしたが、これに限らず、第２敷布２（本体２ａ）の辺部に切り込みを入れて、本体２ａに孔部を形成してもよい。
【００４５】
また、本実施形態の防水シーツ１０では、第１敷布１の本体１ａの左右２つの辺部のそれぞれに４つの固定帯１ｂを間隔Ｗで等間隔に固定したが、同様に第２敷布２の本体２ａの左右２つの辺部のそれぞれに４つの孔部２ｂ０を間隔Ｗで等間隔に設けたが、それに限らず、固定帯１ｂ及び孔部２ｂ０の数、間隔Ｗは、縦方向にしわがよることなく、防水シーツ１０（第１及び第２敷布１，２）を寝具に固定するのに十分に大きな数、小さい間隔に定めることとする。
【産業上の利用可能性】
【００４６】
本発明の防水シーツは、防水シーツを寝具に簡便に取付けるのに好適である。
【符号の説明】
【００４７】
１      第１敷布
１ａ    本体
１ｂ    固定帯
１ｂ１  第１ファスナ
１ｂ２  第２ファスナ
２      第２敷布
２ａ    本体
２ｂ    縁帯
２ｂ０  孔部
１０      防水シーツ
２０      寝具
【図１】
0006605791.tif 000002
【図２】
0006605791.tif 000003
【図３】
0006605791.tif 000004